(57)【要約】開閉自在のバッグ（２０）は、対向した面（３０、４４）を備えた本体を有し、これらの面は側端部（４０、４２）を備えるとともに、内部（４８）を構成する。またこのバッグは、バッグの一方の面に固定された開閉自在のフック・ループ締結帯（１２）を有する。この締結帯によって、バッグの一面からバッグ内部を利用可能にするための開閉自在の面クロージャを形成してもよい。クロージャ帯（１２）が１つ以上のバッグの側端部（４０、４２）に沿って延在することにより、注ぎ口側方開口部（２６）を形成するか、または引き上げ蓋式箱にあるようなヒンジを画成する場合もある。
2004508250.tif 000002
【特許請求の範囲】
【請求項１】
側端部（４０、４２）を有するとともにバッグ（２０）の内部（４８）を構成する対向した面（３０、４４）を備えた本体を有するバッグ（２０）であって、
一方のバッグ面に固定されるとともに当該バッグの一方の側端部（４０）に渡って延在する開閉自在の締結帯（１２）を備え、当該締結帯（１２）によって、バッグの側端部にて、バッグ内部（４８）を利用するための注ぎ口として開くことが可能な、開閉自在のバッグクロージャが形成される、バッグ。
【請求項２】
前記締結帯（１２）が前記バッグの内表面（３４）に固定される、請求項１に記載のバッグ。
【請求項３】
前記バッグ本体が、前記締結帯（１２）を利用するための破断しやすい引裂き線（１４）を有する、請求項２に記載のバッグ。
【請求項４】
前記締結帯（１２）が、フック係合可能なループ（３２）のバンドを備えたループ部品（１６）と、これと対になるフック（３６）のバンドを備えたフック部品（１８）とを含む、請求項１ないし請求項３のいずれか一項に記載のバッグ。
【請求項５】
前記フック（３６）が、前記フック部品（１８）の端部に沿って一体に成形される、請求項４に記載のバッグ。
【請求項６】
前記締結帯（１２）が、対になる二つの部品（１６、１８）を備え、これらが両方とも前記バッグの面（３０）の内表面に固定される、請求項１ないし請求項５のいずれか一項に記載のバッグ。
【請求項７】
前記バッグ本体がフィルムを備え、前記締結帯（１２）が当該フィルムに溶接されている、請求項１ないし請求項６のいずれか一項に記載のバッグ。
【請求項８】
前記締結帯（１２）が、前記バッグの前面（３０）の全体と、前記バッグの対向した端部（４０、４２）とに渡って延在する、請求項１ないし請求項７のいずれか一項に記載のバッグ。
【請求項９】
前記クロージャ（１２）が、前記バッグの前面（３０）から一方の側端部（４０）を通って背面（４４）まで延在し、前記バッグの側端部（４０）のバッグ開口部（２６）からバッグの内容物を注ぐための注ぎ口を形成する、請求項１ないし７のいずれか一項に記載のバッグ。
【請求項１０】
前記クロージャ（１２）の端部が互いに緩んだ状態にある請求項１ないし請求項９のいずれか一項に記載のバッグ。
【請求項１１】
側端部（４０、４２）を有するとともにバッグの内部（４８）を構成する対向した面（３０、４４）を備えた本体を有するバッグ（２０）を製造する方法であって、
バッグ製造機上において、バッグの側端部にて、バッグ内部（４８）を利用するための注ぎ口として開くことが可能な、開閉自在のバッグクロージャを形成するように、当該バッグの一方の側端部（４０）に渡って延在するように配されたクロージャ帯（１２）が予め取り付けられているフィルム（２４）のロール（２８）からバッグを形成する工程を備える方法。
【請求項１２】
前記締結帯（１２）が前記バッグの内表面（３４）に固定される、請求項１１に記載の方法。
【請求項１３】
前記バッグ本体が、前記締結帯（１２）を利用するための破断しやすい引裂き線（１４）を有する、請求項１２に記載のバッグ。
【請求項１４】
前記締結帯（１２）が、フック係合可能なループ（３２）のバンドを備えたループ部品（１６）と、これと対になるフック（３６）のバンドを備えたフック部品（１８）とを含む、前記方法に関する請求項１１ないし請求項１３のいずれか一項に記載の方法。
【請求項１５】
前記フック（３６）が前記フック部品（１８）の端部に沿って一体に成形される、請求項１４に記載の方法。
【請求項１６】
前記締結帯（１２）が、対になる二つの部品（１６、１８）を備え、これらが両方とも前記バッグの面（３０）の内表面に固定される、請求項１１ないし請求項１５のいずれか一項に記載の方法。
【請求項１７】
前記バッグ本体がフィルムを備え、前記締結帯（１２）が当該フィルムに溶接されている、請求項１１ないし請求項１６のいずれか一項に記載の方法。
【請求項１８】
前記締結帯（１２）が、前記バッグの前面（３０）の全体と、前記バッグの対向した端部（４０、４２）とに渡って延在する、請求項１１ないし請求項１７のいずれか一項に記載の方法。
【請求項１９】
前記クロージャ（１２）が、前記バッグの前面（３０）から一方の側端部（４０）を通って背面（４４）まで延在し、前記バッグの側端部（４０）のバッグ開口部（２６）からバッグの内容物を注ぐための注ぎ口を形成する、請求項１１ないし請求項１７のいずれか一項に記載の方法。
【請求項２０】
前記クロージャ（１２）の端部が互いに緩んだ状態にある、請求項１１ないし請求項１９のいずれか一項に記載のバッグ。
【請求項２１】
側端部（４０、４２）を有するとともに当該バッグの内部（４８）を構成する対向した面（３０、４４）を備えた本体を有するバッグ（２０）であって、
当該バッグ本体に固定されるとともに、当該バッグの面（３０）からバッグ内部（４８）を利用可能にするための開閉自在の面クロージャを形成するように配置され、かつフック係合可能なループ（３２）のバンドを備えたループ部品（１６）と、これと対になるフック（３６）のバンドを備えたフック部品（１８）とを含む、開閉自在の締結帯（１２）を備えたバッグ。
【請求項２２】
前記締結帯（１２）が前記バッグの前面（３０）の内表面に固定される、請求項２１に記載のバッグ。
【請求項２３】
前記バッグ本体が前記締結帯（１２）を利用可能にするための破断しやすい引裂き線（１４）を有する、請求項２２に記載のバッグ。
【請求項２４】
前記フック（３６）が、前記フック部品（１８）の端部に沿って一体に成形される、請求項２１ないし請求項２３のいずれか一項に記載のバッグ。
【請求項２５】
前記バッグ本体がフィルムを備え、前記締結帯（１２）が当該フィルムに溶接されている、請求項２１ないし請求項２４に記載のバッグ。
【請求項２６】
側端部（４０、４２）を有するとともに当該バッグの内部（４８）を構成する対向した面（３０、４４）を備えた本体を有するバッグ（２０）を製造する方法であって、
バッグ製造機上において、形成されたバッグの面（３０）からバッグ内部（４８）を利用可能にするための開閉自在の面クロージャを形成するように配置されるとともに、フック係合可能なループ（３２）のバンドを備えたループ部品（１６）と、これと対になるフック（３６）のバンドを備えたフック部品（１８）とを含むクロージャ帯（１２）が予め取り付けられているフィルム（２４）のロール（２８）からバッグを形成する工程を備えた、方法。
【発明の詳細な説明】
【０００１】
技術分野
本発明は、改良されたバッグ製造法、バッグ製品、およびバッグ製造に有用な予め形成された材料に関する。
【０００２】
リブと溝からなる噛み合わせクロージャが合理的な配置場所に予め取り付けられたパッケージングフィルムをパッカー（ｐａｃｋｅｒｓ）に提供することが知られている。例えば、イーガー氏による米国特許第６，０７９，８７８号を参照されたい。リブと溝からなるクロージャを備えたこのようなフィルムは、縦形形成充填機（ａ ｖｅｒｔｉｃａｌ ｆｏｒｍ ａｎｄ ｆｉｌｌ ｍａｃｈｉｎｅ）に導入され、これによってバッグを形成すると同時にバッグを内容物で満たし、またこのバッグは予め取り付けられているクロージャにおいて開けることができるようになっている。
【０００３】
このような製品にはいくつかの制限がある。例えばジッパー式（リブと溝を噛み合わせるタイプ）の製品については、シールの位置合わせや、シールを完全な状態に保つため、一旦クロージャを閉じると、クロージャを生じさせるための開始点とするためには、このクロージャの端部を常時閉じて封止された状態にする必要がある。製造や使用に関する他の制限も周知の通りである。
【０００４】
発明の概要
本発明の一つの態様によれば、開閉自在のバッグは、側端部を備えるとともに内部を構成する対向した面を備えた本体を有し、一方のバッグ面に固定されるとともにバッグの一方の側端部に渡って延在する開閉自在の締結帯を備え、この締結帯によって、バッグ内部を利用可能にするための開閉自在のバッグクロージャが形成される。
【０００５】
ある態様においては、締結帯がバッグの内表面に固定され、バッグ本体は締結帯を利用可能にするための破断しやすい引裂き線を有してもよい。この締結帯が、フック係合可能なループのバンドを備えたループ部品と、これと対になるフックのバンドを備えたフック部品とを含む場合もあり、これらのフックはフック部品の端部に沿って一体に成形されてもよい。
【０００６】
ある構造においては、締結帯が、対になる二つの部品を備え、これら部品が両方ともバッグ面の内表面に固定される。
【０００７】
バッグ本体がフィルムを備え、締結帯がこのフィルムに溶接されている場合もある。ある態様においては、締結帯はバッグの前面の全体と、バッグの対向した端部とに渡って延在し、ヒンジを形成する。
【０００８】
クロージャが、バッグの前面から一側端部を通って背面にまで延在して、バッグ端部にあるバッグ開口部からバッグの内容物を注ぐための注ぎ口を形成する場合もある。
【０００９】
ある態様においては、クロージャの端部は互いに緩んだ状態にある。本発明の他の態様によれば、開閉自在バッグの製造方法が提供される。このバッグは、側端部を有するとともにバッグ内部を構成する対向した面を備えた本体を有する。この方法は、バッグ製造機上において、バッグ内部を利用可能にするための開閉自在のバッグクロージャを形成するように、バッグの一方の端部に渡って延在するように配されたクロージャ帯が予め取り付けられているフィルムのロールからバッグを形成する工程を備える。
【００１０】
ある態様においては、締結帯がバッグの内表面に固定され、またバッグ本体は締結帯を利用可能にするための破断しやすい引裂き線を有してもよい。フックはフック部品の端部に沿って一体に成形される場合もある。ある構造においては、この締結帯は、対になる二つの部品を備え、これら部品が両方ともバッグの一方の面の内表面に固定される。
【００１１】
バッグ本体がフィルムを備え、締結帯がこのフィルムに溶接されている場合もある。ある態様においては、締結帯はバッグの前面の全体と、バッグの対向した端部とに渡って延在し、ヒンジを形成する。
【００１２】
場合によっては、クロージャが、バッグの前面から一方の側端部を通って後面まで延在し、バッグの端部のバッグ開口部からバッグの内容物を注ぐための注ぎ口を形成する
ある態様においては、クロージャの端部が互いに緩んだ状態にある。
【００１３】
本発明のさらに別の態様によれば、バッグは、側端部を備えるとともに内部を構成する対向した面を備えた本体を有し、バッグ本体に固定されるとともに、バッグの一面からバッグ内部を利用可能にするための開閉自在の面クロージャを形成するように配置される開閉自在の締結帯を備える。この締結帯は、フック係合可能なループのバンドを備えたループ部品と、これと対になるフックのバンドを備えたフック部品とを含む。
【００１４】
ある態様においては、締結帯がバッグの内表面に固定され、バッグ本体は締結帯を利用可能にするための破断しやすい引裂き線を有してもよい。
フックがフック部品の端部に沿って一体に成形される場合もある。バッグ本体がフィルムを備え、締結帯がこのフィルムに溶接されている場合もある。本発明のさらに別の局面によれば、開閉自在のバッグの製造方法が提供される。このバッグは、側端部を有するとともにバッグ内部を構成する対向した面を備えた本体を有する。この方法は、バッグ製造機上において、形成されたバッグの一面からバッグ内部を利用可能にするための開閉自在の面クロージャを形成するように配されたクロージャ帯が予め取り付けられているフィルムのロールからバッグを形成する工程を備える。この締結帯は、フック係合可能なループのバンドを備えたループ部品と、これと対になるフックのバンドを備えたフック部品とを含む。
【００１５】
本発明のある態様によれば、フック・ループ・クロージャはパッケージングフィルムに予め取り付けられている。このクロージャはフック帯とループ部品とを伴い、これらはフック・ループ締結によって係合される。各部品が、バッグフィルムに表溶接された付随フランジまたは縁部（ａｎ ａｓｓｏｃｉａｔｅｄ ｆｌａｎｇｅ ｏｒ ｍａｒｇｉｎ ｐｏｒｔｉｏｎ）を有する場合もある。また、これらの部品が、フックまたはループなどのクロージャ機構の裏側に直に取付けられる場合もある。
【００１６】
また、フック部品とループ部品が別々のものであって、これらの対になる部分がそれぞれ予め取り付けられた状態にある場合もある。また、これら二つの部品が一体のものとして形成される場合もあり、この場合には、クロージャのこれら二つの部品の間にある接続部分をもって、バッグを初めて開ける際に引き裂く「シェルフシール」（ｓｈｅｌｆ ｓｅａｌ）としてもよい。
【００１７】
このように予め形成された部品を使用することによって、多くの利点がもたらされる。
【００１８】
まず、クロージャは、形成されるバッグの端部からのスペースを必要としない。
【００１９】
バッグ製造機についての許容誤差、およびこのバッグ製造機内での予め形成されたフィルムクロージャの位置についての許容誤差が比較的緩やかである。また、フックとループの位置合わせが、リブと溝からなるクロージャの位置合わせほど重要ではない。例えば、フックとループの締結では通常、位置のばらつきについて１／８インチ（３，２ミリメータ）以内までが一般的に許容され、満足できるクロージャ性能を保つことができる。
【００２０】
本発明の他の態様は、バッグクロージャと開口部とがバッグの幅全体に渡って延在するバッグに関わる。
【００２１】
クロージャは、バッグの片面のみに端部からのスペースをあけて積層させる必要はなく、端部まで完全に延在させるか、または端部を通ってバッグの反対側の面まで延在するようにして、例えば注ぎ口または引き上げ蓋を形成するようにしてもよい。さらに、フック・ループ・クロージャは横断する方向の折り目部分または角にあっても機能するが、ジッパー構造は、これを折るかまたは深く曲げた場合に、ジッパー機構が変形または傾斜しやすく、折り部分または湾曲部において漏れや分離が生じ得る。
【００２２】
より広義にとらえると、本発明の他の態様とは、パッケージの一端部で湾曲するフック・ループ・クロージャによって実現される、バッグまたはパッケージ用の注ぎ口である。
【００２３】
本発明の別の態様は、初めから完全にまたは少しだけ上方に空間をあけて内容物を充填してもよいバッグであって、かつクロージャの位置よりも上まで内容物で充填された状態であっても、フック・ループ・クロージャによって簡単に開閉できるバッグである。
【００２４】
図示されているフック・ループ・クロージャでは、クロージャの端部は互いに緩んだ状態にあってよい。これによって、リブと溝からなるシールの開口部よりも大きな開口部をバッグにもたらすことが可能となるが、必要ならば、クロージャの端部を封止するかまたはバッグフィルムに溶接して、例えば端部からの漏れを防ぐようにすることもできる。フック・ループ・クロージャを閉じる際に必要な位置合わせは、リブと溝からなるクロージャを噛み合わせるための位置合わせほど実質的に重要ではないため、中身が詰まったバッグまたは非常に大きな開口部を作動または非作動（すなわち開閉）させることがより容易となるクロージャとなりえる。
【００２５】
本発明のその他の特徴および利点は、以下の好適な実施態様の説明によって理解されるであろう。
【００２６】
実施態様の説明
図１は、バッグ前面が正面を向いた状態にある、縦形の中身が詰められたバッグの図である。バッグの前面３０の内側にはフック・ループ・バッグ・クロージャ１２が溶接されており、このクロージャは点線でその輪郭が示されている。このクロージャに沿って、バッグクロージャの前面３０を形成するバッグフィルムは、破断しやすい線１４、引裂きストリング（ｔｅａｒ ｓｔｒｉｎｇ）、ミシン目（ｐｅｒｆｏｒａｔｉｏｎ）、またはバッグフィルムを通してクロージャに開口部を形成するためのその他の機構を備える。腐敗しやすい製品については、バッグの内容物の鮮度を保つように、このバッグフィルムが一次（ｐｒｉｍａｒｙ）気密シールを形成することが好ましい。
【００２７】
図２はクロージャ１２の側面図である。このクロージャの上半分は、フック係合可能なループ３２のバンドを下端部に沿って備えるループ部品１６であり、これは上端部に沿ってバッグの前面３０の内表面３４に溶接されている。バッグのやや下方部では、ループ部品と対になるフック部品１８が、一体成形されたフック３６のバンドをその上端部に沿って有し、クロージャの上半分のループ３２と対を成す。この下方部品もまた、バッグ表面の内表面に溶接される。このようにして、バッグの前面３０は、溶接線１９でバッグフィルムに取り付けられるとともにフック・ループ係合で対になるクロージャ１２の両半分を担持する。また、必要ならば、このクロージャの二つの部分をその端部に沿ってバッグフィルムの前面に溶接してもよい。
【００２８】
図示されている実施態様では、一次シールまたはシェルフシールは、バッグフィルムそれ自体である。バッグを開くためには、エンドユーザがフィルムを切断してバッグ内部の多目的クロージャ１２（ｔｈｅ ｉｎｎｅｒ ｍｕｌｔｉｐｌｅ ｕｓｅ ｃｌｏｓｕｒｅ）を利用可能にするか、または、フィルムを破ってフラップを開けることができるように、破断しやすい線１４などの機構がフィルムに設けられる。例えば、感圧接着剤ウェブを供して、はく離可能なフラップ（図示されていない）を形成し、これを持ち上げることによってバッグ内部を利用可能にしてもよい。このように、ハサミやナイフなどの道具を用いることなしに都合よくバッグ内部を開くことができる。内容物はバッグから取り出すことができ、その後は食料庫を封じるような態様でクロージャを押すことでバッグを閉めることができる。フック・ループ・クロージャ１２は比較的低い接触力で閉めることができ、クロージャ内に内容物の破片がはさまってもその状態に適合できる。また、クロージャが上端部３８に沿ってではなくバッグの面３０上にある適用例では、例えばバッグ内に入っている製品を傷め得る過剰なクロージャ圧力（ｃｌｏｓｕｒｅ ｐｒｅｓｓｕｒｅ）を用いずに、軽い力でフック・ループ・クロージャを閉めることができる。例えばポテトチップスの袋にこのような面クロージャが設けることができる。
【００２９】
図３は図１のバッグ１０と同じ構造を持つバッグ２０を示す図であるが、ここではクロージャ１２は、縦形の中身が詰まったバッグの前面３０の中心線上に延在するのではなく、バッグの側部４０に渡って延在する。図４はこのバッグの断面図であり、長手方向フィルムシール２２は背面側に向かって配置されている。前面３０とは何も無い方のバッグ面、もしくは長手方向シール２２がない方の面のことである。
【００３０】
図５では、図２と同様に、クロージャ１２の上部がフィルム２４の内表面に溶接されたループ部分１６であり、この真下に、フック部分１８がフィルム２４の同一内表面に溶接されて存在する。クロージャ１２は、フィルムの位相的に連続する同一表面に溶接される一方、バッグの前面から一方の側端部を通って反対側の面まで延在する。すなわち、クロージャ１２は、バッグの前面３０ならびに背面４４にも溶接されているのである。
【００３１】
図６は、バッグの前面３０全体に渡るとともに、両端部４０および４２を通ってバッグの背面４４まで延在しているクロージャ１２を図式的に示している。バッグ壁の物質を十分に硬いものとすることによって、端部４６と端部４６の間のバッグの部分がヒンジを構成し、このヒンジのところでバッグまたはパッケージの上部全体が「引き上げ蓋式箱」にあるように持ち上がり、バッグ（または箱）の内部４８を利用可能にできるようにしてもよい。この種の構造は、例えば厚紙、または複合バッグもしくは箱の材料、ならびに厚膜から形成される重量パッケージングに有用であることが明らかである。
【００３２】
このように、クロージャはバッグ前面３０全体に渡って、さらにはバッグの端部４０および４２を渡って延在してもよい。このクロージャは、図６に示すように、縦形形成充填機で生産される長手方向シーム２２を越えて延在するヒンジ線を設けるように配置されてよく、こうすることによってバッグに完全な開口部を提供できる。また、バッグのヘッドスペース（ｈｅａｄ−ｓｐａｃｅ）（「ヘッドスペース」は、バッグ内の製品の上部にある空間体積（ｔｈｅ ｏｐｅｎ ｖｏｌｕｍｅ）として定義される）が非常に小さい場合であっても、タッチ締結具フック・ループ・クロージャを開いて製品をバッグから取り出すことができ、その後クロージャ１２を閉める際には、製品を外側から押さえる極めて小さな作用力をクロージャに与えればよい。これは、ジッパー式（リブと溝を噛み合わせるタイプ）クロージャとは異なる点である。ジッパー式クロージャの場合には、クロージャの前後に指を置いてクロージャを押さえて閉め、これによって雄型もしくはリブ部品をクロージャの雌型もしくは溝部品に係合させるためには、クロージャの前後には空間体積が必要となる。
【００３３】
フック・ループ・クロージャ１２は、図３〜図６に示すような湾曲した構造、つまりバッグ２０内の製品がクロージャに押し当てられてクロージャ全体に剪断負荷（ｓｈｅａｒ ｌｏａｄｉｎｇ）がかかっている状態に対して耐性があることが分った。すなわち、内容物の圧迫によってバッグの上部が必ずしもバッグの下部から離れる方向へ押されるとは限らないのである。上記の構造を有するフック・ループ・クロージャ１２は、より強い強度を有する形態となっている。さらに、クロージャ１２を、図示されているように、クロージャ面の外に延びる弧形またはその他の形状に形成することによって、クロージャ１２に、集中的な分離負荷に耐えるための湾曲硬性または構造的剛性を与えてもよい。
【００３４】
図１の実施態様に見られるように、この実施態様における一次シールまたはシェルフシールとは、二つのクロージャ部品の間のバッグフィルムのことである。しかし、これも図１の場合と同様に、この一次シールは２０００年５月１８日に発行された特許公報ＷＯ００／２７７２１号に開示されるような一体的なフック・ループ・クロージャ・ユニットによっても達成することができる。この場合、フック・ループ・クロージャ・ユニット１２がフィルムのウェブに予め取り付けられている際に、縦形形成充填機に送り込む前にフィルム自体に切り開き部を形成しておく（例えば、クロージャ１２がバッグフィルムに溶接される際に１４に切り開き部を形成する）。この場合、クロージャはバッグの外表面上に配することができる。
【００３５】
また、剥離可能シール、引裂きシール（ａ ｔｅａｒ ｓｅａｌ）、または引裂きストリングシール（ａ ｔｅａｒ ｓｔｒｉｎｇ ｓｅａｌ）（図示されていない）などの補足シールを、フック・ループ・クロージャ・ユニット内かあるいはバッグ自体の上に設けることも可能である。
【００３６】
図７は、図３の構造により、クロージャ１２を注ぎ口として開き、使用者がバッグの側端部にあるバッグ開口部２６からバッグの内容物を注ぐことができる様子を示している。ジッパー形状の製品とは異なり、フック・ループ・クロージャを何らかの状態で面全体に渡ってまたはクロージャの長手方向に対して垂直に、折るかまたは折り曲げた場合でも、このクロージャのクロージング効果は保持される。これとは対照的に、ジッパーのレール（つまり溝内に係合されたリブ）を前面から側方または背面に曲げた場合、クロージャが永久に変形するかあるいはその状態に固まってしまう傾向があり、これによってクロージャが外に広がるかまたは閉じてしまう。クロージャが外に広がると、レールは溝の側部と側部の間に把持されなくなり、クロージャが損なわれてしまう。当然ながらジッパー式クロージャでは、ジッパーに沿って開口が生じると、分離力が伝わることを防止する能力が著し低減してしまう。
【００３７】
図８は、クロージャ１２が既に所定位置に、つまりバッグフィルムの縦軸に対して横方向に溶接されたバッグフィルムのロール２８を示しており、クロージャ１２の長さに応じて図１のバッグ１０または図３のバッグ２０を製造するために、このロールは巻き出されてバッグ製造機へと送り込まれる準備が整っている状態であり、またこのバッグ製造機においてフィルムは横方向に切断かつ接合されて、上部シールと下部シールとが形成される。
【００３８】
上述の特徴が適用可能なその他のバッグおよびクロージャ構造、ならびにバッグ形成方法は、米国特許第６，２０２，２６０号および本出願人の米国特許仮出願第６０／１５９，４８９号、第６０／２２８，８１９号、および第６０／２３１，３７７号（１９９９年１０月１４日、１９９９年４月１６日、２０００年９月６日にそれぞれ出願された）に開示されており、これら特許の開示内容はすべて、あたかも完全に記載されたかのように本明細書中に参照として組み込まれている。
【００３９】
本発明に関していくつかの実施態様を説明してきた。しかしこれに関わらず、本発明の精神およびその範囲から逸脱することなく、多様な変更が可能であることが理解されるであろう。例えば、本明細書中に開示された数多くの特徴は、バッグを製造する際のクロージャの取り付け、ならびにクロージャの事前取り付けに適用可能であるという点にも注意すべきである。したがって、その他の実施態様も本発明の特許請求の範囲内である。
【図面の簡単な説明】
【図１】
バッグ前面が正面を向いた状態にある、縦形の中身が詰められたバッグの図である。
【図２】
図１の線２−２に沿った断面図である。
【図３】
上記バッグに類似したバッグであり、前面とバッグの側部とに渡ってクロージャが設けられたバッグを示す図である。
【図４】
図３の線４−４に沿った断面図である。
【図５】
図４の線５−５に沿った断面図である。
【図６】
図４に類似した図であるが、クロージャ１２が片面全体に渡って、かつ両側部を通ってバッグ面まで延在する「引き上げ蓋」式バッグの図である。
【図７】
開いたクロージャから内容物を注ぎ出すために開いた状態となっている、図３のバッグの図である。
【図８】
バッグを形成するためにクロージャが予め取り付けられているバッグフィルムのロールを示す図である。
【国際公開パンフレット】
2004508250.tif 000003
2004508250.tif 000004
2004508250.tif 000005
2004508250.tif 000006
2004508250.tif 000007
2004508250.tif 000008
2004508250.tif 000009
2004508250.tif 000010
2004508250.tif 000011
2004508250.tif 000012
2004508250.tif 000013
2004508250.tif 000014
2004508250.tif 000015
2004508250.tif 000016
【国際公開パンフレット（コレクトバージョン）】
2004508250.tif 000017
【手続補正書】
【提出日】平成14年7月1日(2002.7.1)
【手続補正１】
【補正対象書類名】明細書
【補正対象項目名】特許請求の範囲
【補正方法】変更
【補正の内容】
【特許請求の範囲】
【請求項１】
側端部（４０、４２）を有するとともにバッグの内部（４８）を構成する対向した面（３０、４４）を備えた本体を有するバッグ（２０）であって、
当該バッグの一方の面に固定されるとともに当該バッグの一方の側端部（４０）に渡って延在する開閉自在の締結帯（１２）を備え、当該締結帯（１２）によって、バッグの側端部にて、バッグ内部（４８）を利用可能にするために開くことができる注ぎ口を形成するように、当該バッグの前面（３０）から側端部（４０）を渡り背面（４４）まで延在する開閉自在のバッグクロージャが形成される、バッグ。
【請求項２】
前記締結帯（１２）が前記バッグの内表面（３４）に固定される、請求項１に記載のバッグ。
【請求項３】
前記バッグ本体が、前記締結帯（１２）を利用するための破断しやすい引裂き線（１４）を有する、請求項２に記載のバッグ。
【請求項４】
前記締結帯（１２）が、フック係合可能なループ（３２）のバンドを備えたループ部品（１６）と、これと対になるフック（３６）のバンドを備えたフック部品（１８）とを含む、請求項１ないし請求項３のいずれか一項に記載のバッグ。
【請求項５】
前記フック（３６）が、前記フック部品（１８）の端部に沿って一体に成形される、請求項４に記載のバッグ。
【請求項６】
前記締結帯（１２）が、対になる二つの部品（１６、１８）を備え、これらが両方とも前記バッグの面（３０）の内表面に固定される、請求項１ないし請求項５のいずれか一項に記載のバッグ。
【請求項７】
前記バッグ本体がフィルムを備え、前記締結帯（１２）が当該フィルムに溶接されている、請求項１ないし請求項６のいずれか一項に記載のバッグ。
【請求項８】
前記締結帯（１２）が、前記バッグの前面（３０）の全体と、前記バッグの対向した端部（４０、４２）とに渡って延在する、請求項１ないし請求項７のいずれか一項に記載のバッグ。
【請求項９】
前記クロージャ（１２）の端部が互いに緩んだ状態にある請求項１ないし請求項８のいずれか一項に記載のバッグ。
【請求項１０】
側端部（４０、４２）を有するとともにバッグの内部（４８）を構成する対向した面（３０、４４）を備えた本体を有する開閉自在のバッグ（２０）を製造する方法であって、
バッグ製造機上において、バッグの側端部にて、バッグ内部（４８）を利用可能にするために開くことができる注ぎ口を形成するために、当該バッグの前面（３０）から側端部（４０）を渡り、背面（４４）まで延在する開閉自在のバッグクロージャを形成するように、当該バッグの一方の側端部（４０）に渡って延在するクロージャ帯（１２）が予め取り付けられているフィルム（２４）のロール（２８）からバッグを形成する工程を備える方法。
【請求項１１】
前記締結帯（１２）が前記バッグの内表面（３４）に固定される、請求項１０に記載の方法。
【請求項１２】
前記バッグ本体が、前記締結帯（１２）を利用するための破断しやすい引裂き線（１４）を有する、請求項１１に記載のバッグ。
【請求項１３】
前記締結帯（１２）が、フック係合可能なループ（３２）のバンドを備えたループ部品（１６）と、これと対になるフック（３６）のバンドを備えたフック部品（１８）とを含む、前記方法に関する請求項１０ないし請求項１２のいずれか一項に記載の方法。
【請求項１４】
前記フック（３６）が前記フック部品（１８）の端部に沿って一体に成形される、請求項１３に記載の方法。
【請求項１５】
前記締結帯（１２）が、対になる二つの部品（１６、１８）を備え、これらが両方とも前記バッグの面（３０）の内表面に固定される、請求項１０ないし請求項１４のいずれか一項に記載の方法。
【請求項１６】
前記バッグ本体がフィルムを備え、前記締結帯（１２）が当該フィルムに溶接されている、請求項１０ないし請求項１５のいずれか一項に記載の方法。
【請求項１７】
前記締結帯（１２）が、前記バッグの前面（３０）の全体と、前記バッグの対向した端部（４０、４２）とに渡って延在する、請求項１０ないし請求項１６のいずれか一項に記載の方法。
【請求項１８】
前記クロージャ（１２）の端部が互いに緩んだ状態にある、請求項１０ないし請求項１７のいずれか一項に記載のバッグ。
【請求項１９】
側端部（４０、４２）を有するとともに当該バッグの内部（４８）を構成する対向した面（３０、４４）を備えた本体を有するバッグ（２０）であって、
当該バッグ本体に固定されるとともに、当該バッグの面（３０）からバッグ内部（４８）を利用可能にするための開閉自在の面クロージャを形成するように配置され、かつフック係合可能なループ（３２）のバンドを備えたループ部品（１６）と、これと対になるフック（３６）のバンドを備えたフック部品（１８）とを含む、開閉自在の締結帯（１２）を備えたバッグ。
【請求項２０】
前記締結帯（１２）が前記バッグの前面（３０）の内表面に固定される、請求項１９に記載のバッグ。
【請求項２１】
前記バッグ本体が前記締結帯（１２）を利用可能にするための破断しやすい引裂き線（１４）を有する、請求項２０に記載のバッグ。
【請求項２２】
前記フック（３６）が、前記フック部品（１８）の端部に沿って一体に成形される、請求項１９ないし請求項２１のいずれか一項に記載のバッグ。
【請求項２３】
前記バッグ本体がフィルムを備え、前記締結帯（１２）が当該フィルムに溶接されている、請求項１９ないし請求項２２に記載のバッグ。
【請求項２４】
側端部（４０、４２）を有するとともに当該バッグの内部（４８）を構成する対向した面（３０、４４）を備えた本体を有するバッグ（２０）を製造する方法であって、
バッグ製造機上において、形成されたバッグの面（３０）からバッグ内部（４８）を利用可能にするための開閉自在の面クロージャを形成するように配置されるとともに、フック係合可能なループ（３２）のバンドを備えたループ部品（１６）と、これと対になるフック（３６）のバンドを備えたフック部品（１８）とを含むクロージャ帯（１２）が予め取り付けられているフィルム（２４）のロール（２８）からバッグを形成する工程を備えた、方法。
【手続補正書】
【提出日】平成14年8月1日(2002.8.1)
【手続補正１】
【補正対象書類名】明細書
【補正対象項目名】特許請求の範囲
【補正方法】変更
【補正の内容】
【特許請求の範囲】
【請求項１】
側端部（４０、４２）を有するとともにバッグの内部（４８）を構成する対向した面（３０、４４）を備えた本体を有するバッグ（２０）であって、
当該バッグの一方の面に固定されるとともに当該バッグの一方の側端部（４０）に渡って延在する開閉自在の締結帯（１２）を備え、当該締結帯（１２）によって、バッグの側端部にて、バッグ内部（４８）を利用可能にするために開くことができる注ぎ口を形成するように、当該バッグの前面（３０）から側端部（４０）を渡り背面（４４）まで延在する開閉自在のバッグクロージャが形成される、バッグ。
【請求項２】
前記締結帯（１２）が前記バッグの内表面（３４）に固定される、請求項１に記載のバッグ。
【請求項３】
前記バッグ本体が、前記締結帯（１２）を利用するための破断しやすい引裂き線（１４）を有する、請求項２に記載のバッグ。
【請求項４】
前記締結帯（１２）が、フック係合可能なループ（３２）のバンドを備えたループ部品（１６）と、これと対になるフック（３６）のバンドを備えたフック部品（１８）とを含む、請求項１ないし請求項３のいずれか一項に記載のバッグ。
【請求項５】
前記フック（３６）が、前記フック部品（１８）の端部に沿って一体に成形される、請求項４に記載のバッグ。
【請求項６】
前記締結帯（１２）が、対になる二つの部品（１６、１８）を備え、これらが両方とも前記バッグの面（３０）の内表面に固定される、請求項１ないし請求項５のいずれか一項に記載のバッグ。
【請求項７】
前記バッグ本体がフィルムを備え、前記締結帯（１２）が当該フィルムに溶接されている、請求項１ないし請求項６のいずれか一項に記載のバッグ。
【請求項８】
前記締結帯（１２）が、前記バッグの前面（３０）の全体と、前記バッグの対向した端部（４０、４２）とに渡って延在する、請求項１ないし請求項７のいずれか一項に記載のバッグ。
【請求項９】
前記クロージャ（１２）の端部が互いに緩んだ状態にある請求項１ないし請求項８のいずれか一項に記載のバッグ。
【請求項１０】
側端部（４０、４２）を有するとともにバッグの内部（４８）を構成する対向した面（３０、４４）を備えた本体を有する開閉自在のバッグ（２０）を製造する方法であって、
バッグ製造機上において、バッグの側端部にて、バッグ内部（４８）を利用可能にするために開くことができる注ぎ口を形成するために、当該バッグの前面（３０）から側端部（４０）を渡り、背面（４４）まで延在する開閉自在のバッグクロージャを形成するように、当該バッグの一方の側端部（４０）に渡って延在するクロージャ帯（１２）が予め取り付けられているフィルム（２４）のロール（２８）からバッグを形成する工程を備える方法。
【請求項１１】
前記締結帯（１２）が前記バッグの内表面（３４）に固定される、請求項１０に記載の方法。
【請求項１２】
前記バッグ本体が、前記締結帯（１２）を利用するための破断しやすい引裂き線（１４）を有する、請求項１１に記載のバッグ。
【請求項１３】
前記締結帯（１２）が、フック係合可能なループ（３２）のバンドを備えたループ部品（１６）と、これと対になるフック（３６）のバンドを備えたフック部品（１８）とを含む、前記方法に関する請求項１０ないし請求項１２のいずれか一項に記載の方法。
【請求項１４】
前記フック（３６）が前記フック部品（１８）の端部に沿って一体に成形される、請求項１３に記載の方法。
【請求項１５】
前記締結帯（１２）が、対になる二つの部品（１６、１８）を備え、これらが両方とも前記バッグの面（３０）の内表面に固定される、請求項１０ないし請求項１４のいずれか一項に記載の方法。
【請求項１６】
前記バッグ本体がフィルムを備え、前記締結帯（１２）が当該フィルムに溶接されている、請求項１０ないし請求項１５のいずれか一項に記載の方法。
【請求項１７】
前記締結帯（１２）が、前記バッグの前面（３０）の全体と、前記バッグの対向した端部（４０、４２）とに渡って延在する、請求項１０ないし請求項１６のいずれか一項に記載の方法。
【請求項１８】
前記クロージャ（１２）の端部が互いに緩んだ状態にある、請求項１０ないし請求項１７のいずれか一項に記載のバッグ。
【請求項１９】
側端部（４０、４２）を有するとともにバッグ内部（４８）を構成する対向した面（３０、４４）を備えた本体を有するバッグ（１０）であって、
当該バッグ本体に固定されるとともに、当該バッグの面（３０）内に画成される開口部を介してバッグ内部（４８）を利用可能にするための開閉自在な面クロージャを形成するように配置され、かつフック係合可能なループ（３２）のバンドを備えたループ部品（１６）と、これと対になるフック（３６）のバンドを備えたフック部品（１８）とを含む開閉自在の締結帯（１２）を備え、当該ループ部品（１６）およびフック部品（１８）が当該開口部の両端に沿って該バッグ本体の一面に固定され、フック・ループ係合によって対になる、バッグ。
【請求項２０】
前記締結帯（１２）が前記バッグの前面（３０）の内表面に固定される、請求項１９に記載のバッグ。
【請求項２１】
前記バッグ本体内にある開口部が、前記締結帯（１２）を利用可能にするための破断しやすい引裂き線（１４）の形状を有する、請求項２０に記載のバッグ。
【請求項２２】
前記フック（３６）が、前記フック部品（１８）の端部に沿って一体に成形される、請求項１９ないし請求項２１のいずれか一項に記載のバッグ。
【請求項２３】
前記バッグ本体がフィルムを備え、前記締結帯（１２）が当該フィルムに溶接されている、請求項１９ないし請求項２２に記載のバッグ。
【請求項２４】
側端部（４０、４２）を有するとともにバッグ内部（４８）を構成する対向した面（３０、４４）を備えた本体を有する開閉自在のバッグ（１０）を製造する方法であって、
バッグ製造機上において、形成されたバッグの面（３０）内に画成される開口部（例えば破断しやすい引裂き線（１４））を介してバッグ内部（４８）を利用可能にするための開閉自在な面クロージャを形成するように配置されるとともに、フック係合可能なループ（３２）のバンドを備えたループ部品（１６）と、これと対になるフック（３６）のバンドを備えたフック部品（１８）とを含むクロージャ帯（１２）が予め施されているフィルム（２４）のロール（２８）からバッグを形成する工程を備え、当該ループ部品（１６）およびフック部品（１８）は両方とも当該開口部の両端部に沿って該バッグ本体の一面に固定され、フック・ループ係合において対になる、方法。
【国際調査報告】
2004508250.tif 000018
2004508250.tif 000019
2004508250.tif 000020